(57)【特許請求の範囲】
【請求項１】
軒先の横板に取付固定されて外装壁面を形成する軒先カバー板であって、
軒前方へ折れた上端を屋根材の先端に係合させて横板上部に接合して固定されるスターター部と、
スターター部から下方傾斜或いは下方に湾曲しながら軒前方へ突出していて横板前面を被覆する膨出面部と、
膨出面部下端の突出端から棟側へ斜め上方に折れた水切り面部と、
水切り面部に連なって棟側へ延びていて横板下面を被覆する折返面部と、
折返面部の端部から上方へ折れていて横板下面に接合して固定される取付面部と、
前記折返面部の端部と取付面部との間に設けられていて軒天井の端部が嵌る軒前方へ凹んだ凹部とを有して一体に形成された軒先カバー板。
【請求項２】
請求項１に記載の軒先カバー板を軒先に取付固定して屋根材よりも外方に突出させ、軒先カバー板の凹部に軒天井の端部を嵌めて取り付けることにより、軒先に外装壁面を形成する軒先の納まり構造。
【請求項３】
軒先に固定した横板前面に補強材を重合固定して、軒先カバー板を取付固定した請求項２に記載の外装壁面を形成する軒先の納まり構造。
【発明の詳細な説明】
【０００１】
【発明の属する技術分野】
本発明は、主として寒冷地の家屋の軒先に取り付けられるカバー板と、これを用いて軒先を納める構造に関する。
【０００２】
【従来の技術】
積雪量が多い寒冷地の家屋は、外壁から軒先までの距離を大きくとることができないため、図９に示すとおり、屋根材１２の先端をできるだけ外方に突出させて雪や雨が外壁から離れた位置に落ちるように設けられ、外壁が雪や雨によって、汚れる被害を防止していた。
【０００３】
【発明が解決しようとする課題】
屋根材１２の先端は、その裏面に板材１５を取付固定して補強されてはいるが、降雪により屋根に積もった雪の荷重に対しては、強度上問題がある。また、凍てついて固まった雪が、屋根材の先端から落ちるとき、変形してしまうこともある。
【０００４】
また、図１０に示すとおり、屋根材の先端を固定するスターター１６は、軒先カバー板１４と分離しており、屋根材の先端を固定するため、スターター１６を横板１３に釘で固定していた。このため、部品が多く施工が複雑であり、部品間の重なり部分の隙間から雨水が屋内に入り込む問題も生じている。
【０００５】
本発明は、従来技術の有するこのような問題点に鑑み、軒先カバー板を取り付けた軒先の剛性を高めるとともに、当該部分を屋根と一体感の有る外観なものに構成し、併せて簡易に施工ができる構造とすることを課題とする。
【０００６】
【課題を解決するための手段】
前記課題を解決するため、本発明の軒先カバー板は、軒先の横板に取付固定されて外装壁面を形成する軒先カバー板であって、軒前方へ折れた上端を屋根材の先端に係合させて横板上部に接合して固定されるスターター部と、スターター部から下方傾斜或いは下方に湾曲しながら軒前方へ突出していて横板前面を被覆する膨出面部と、膨出面部下端の突出端から棟側へ斜め上方に折れた水切り面部と、水切り面部に連なって棟側へ延びていて横板下面を被覆する折返面部と、折返面部の端部から上方へ折れていて横板下面に接合して固定される取付面部と、前記折返面部の端部と取付面部との間に設けられていて軒天井の端部が嵌る軒前方へ凹んだ凹部とを有して一体に形成されている。
【０００７】
これによれば、屋根から軒先に流れ落ちる雨水や雪解け水は、軒先カバー板の膨出面部を伝い、軒外方の家屋の外壁から離れた位置に滴下する。膨出面部の突出下端には水切り面部が設けてあるので、当該端部よりも棟側に雨水等が滴下することはない。よって、外壁に、雨水等が直接かかったり、滴下した雨水等の泥はねが付着したりするようなことはなく、雨水等により外壁が汚れることを防止できる。また、取り付け面である横板前面と膨出面部内面間の空隙に補強材を装填することができ、これにより、軒先カバー板の剛性が高まり、固まった雪が、カバー板上面に落ちても変形したり、破損したりし難くなる。
【０００８】
前記構成の軒先カバー板において、水切り面部は、折返面部の先端に、カバー板の長手方向に連続して伸び、棟側斜め上方に折れた面を設けた構成とする。水切り面部は、膨出面部の突出下端から棟側に水が伝わらないよう、前記突出端を折返面部の境界を軒側上方へ折れた部分を有して構成される。
【０００９】
また、本発明の軒先の納まり構造は、前記構成のカバー板を用い、これを軒先に取付固定して屋根材よりも外方に突出させ、軒先カバー板の凹部に軒天井の端部を嵌めて取り付けることにより、軒先に外装壁面を形成してなるものである。
【００１０】
前記軒先の納まり構造は、好ましくは、軒先に固定した横板前面に補強材を重合固定してから軒先カバー板を取付固定する。このように納めた軒先は、カバー板の剛性が高くなるとともに、屋根と一体感のあるすっきりとした外観形状のものとなる。
【００１１】
【発明の実施の形態】
本発明の好適な実施の形態を図面を参照して説明する。
図１〜図２は、本発明の軒先カバー板の第１実施形態、図３は第２実施形態、図４及び図５は第３実施形態、図６は第４実施形態、図７は第５実施形態をそれぞれ示している。各形態の軒先カバー板は、例えば表面を塩化ビニル樹脂で被覆した鋼板などの長尺金属板を用い、これを板金加工により折り曲げて形成されている。
【００１２】
第１実施形態の軒先カバー板１は、図１に示されるように、軒先に固定された状態で横板上部から下方に傾斜して、軒外方へ突出する膨出面部２と、その下端の突出端３から棟側に折り返された折返面部４を有し、折返面部４には前記突出端３に連ねて水切り面部５を有して断面略傾きＵ字状に形成されている。
詳しくは、膨出面部２は、屋根の下から下方に傾斜した傾斜面部２ａと、傾斜面部２ａの外端部から鉛直下方に折れた側面部２ｂからなっていて軒先の横板７前面を被覆する形状、及び大きさに設けてある。
折返面部４は、膨出面部２の下端から棟側に折れているとともに、端部に上方に折れた取付面部４ａを設けて、前記横板７の下面を被覆する形状及び大きさに設けてある。
取付面部４ａは横板７の下面に接合して固定されるようになっている。また、折返面部４の端部と取付面部４ａの間に後述する軒天井１７の端部が嵌る、軒前方へ凹んだ凹部４ｂを設けてある。
水切り面部５は、突出端３と連なる折返面部４の先端部を棟側斜め上方へ折り曲げ、カバー板の長手方向に連続して伸びた凹部としてある。
膨出面部２の上部には、傾斜面部２ａの上端から鉛直上方へ伸び、上端を前記傾斜面部２ａと平行に前方へ折り曲げてなる、屋根材の先端に係合するスターター部６が一体に設けられている。
このように形成された軒先カバー板１は、図２に示されるように、軒先に固定された横板７の鉛直な前面に補強板８を重合固定して、屋根材１２よりも外方に突出させた軒先に取り付けられ、屋根材１２と一体の外装壁面を構成する。
詳しくは、屋根材１２に対して直交した軒先の縁に、断面三角形状の横板７を固定して横板７の前面を鉛直な面とし、さらに、その前面に補強板８を一体に固着して、軒先を屋根材１２よりも外方に張り出し、その外面に軒先カバー板１を被せ、補強板８と一体化した横板７の前面及び下面が軒先カバー板１で覆われるように設けてある。
軒先カバー板１の取り付けは、スターター部６を屋根材１２の先端に係合させてからカバー板を軒先に覆い被せ、横板７に接合して重なり合うスターター部６と取付面部４ａに釘を打ち込んで固定し、凹部４ｂに軒天井１７の端部を嵌めて取り付けることにより行われる。補強板８は、軒先カバー板１と横板７との間隙が埋まるように配置されている。
【００１３】
第２実施形態の軒先カバー板１は、図３に示されるように、前記形態と同様、膨出面部２、折返面部４、水切り面部５及びスターター部６の各面部を有して形成され、水切り面部５を、膨出面部２の突出端３から内側上方へ傾斜させ、水平面の折返面部４へと連続させる形状としてある。
【００１４】
第３実施形態の軒先カバー１は、図４に示されるように、前記形態と同様に膨出面部２、折返面部４、水切り面部５及びスターター部６を有して形成されているが、膨出面部２を、横板上部から突出端３まで連続して下方に傾斜した形状に設けたものである。この形態の軒先カバー板１は、図５に示されるように、連続傾斜した膨出面部２の内側に、略重合する形状の補強板８を横板７に固定し、その外側面に被せて軒先に取り付けられる。
【００１５】
第４実施形態の軒先カバー板１は、図６に示されるように、前記形態と同様に膨出面部２、折返面部４、水切り面部５及びスターター部６を有して形成されているが、膨出面部２長手方向に連なる凸部２ｃを設けて形成したものである。このような形状としても、機能的には同一である。
【００１６】
第５実施形態の、折返面部４に凹部を設けず、膨出面部２の傾斜に沿い下方に突出させた突出端片３を水切り面部５としたものである。
【００１７】
各形態の軒先カバー板１によれば、膨出面部２が、横板７の上部から下方へ傾斜し、その突出端３は、外壁から離れたところで棟側に折れる形状をしている。この形状とすることにより、屋根上に降った雨や雪解け水などは、図３及び図５に示した矢印の方向、つまり、屋根材１２の先端から膨出面部２表面を通り、突出端３から落ちることとなる。よって、外壁から離して雨水を落とすことができる。外壁から離して落とせることにより、雨水や雪解け水が外壁に直接かかることも少なくなり、また、地面に落ちた雨水等による泥はねによって汚れることも少なくなる。
【００１８】
軒先カバー板１の折返面部４には、その先端に水切り面部５が設けられてあるので、軒先カバー板１表面を伝う雨水等は、軒先カバー板１の突出端３から内側へ回り込もうとしても、水切り面部５によって、内側へ伝わらず、軒先カバー板１の突出端３から滴下することとなる。
これにより、雨水等を外壁から離した位置に確実に落とすことができる。
【００１９】
また、軒先カバー板１を取り付けるにあたり、軒先カバー板１の内側には断面三角形状の横板７と補強板８が設置される。断面三角形状の横板７を設置することにより、従来例と比較して、より大きな荷重に対し耐え得る構成となり、また、軒先カバー板１の内側にも補強板８が装填されることにより、上方からかかる荷重に対する強度が高まる。これにより、大雪で屋根に多くの雪が積もったとしても、その荷重に耐えられ、軒先の破損の発生が少なくなる。
また、軒先カバー板１が屋根材１２と一体化されるので固まった雪が落ちてきた場合でも、屋根材１２の先端が変形することがなくなり、軒先カバー板１自体も内部に設置された補強板８で剛性を高くしてあるため変形しないですむ。
【００２０】
軒先カバー板１の上部には、スターター部６が一体化して形成してあるので、従来に比べ、釘を打つなどの施工工程を簡略化でき、また、部品の数が減ることによりコストの削減ともなる。
【００２１】
図８は、前記構成の軒先カバー板１を用いて軒先を納める場合の施工工程を示している。軒先カバー板１を軒先全周にわたり固定するときは、入隅、出隅の部分には、その形状に合うよう、それぞれ入隅カバー９、出隅カバー１０を設置し、軒先が長い部分には、内継手カバー１１を用いて軒先カバー板を継ぐようにして取り付けられる。
【００２２】
軒先全周に軒先カバー板１を設けることにより、壁の全面にわたり汚れを防ぐことができる。
軒先カバー板１は、家屋の外側に取り付けるため、人目に多く触れる部位であるが、本発明の軒先カバー板１を用いれば、屋根材１２と一体化した、すっきりとした外観の壁面を軒先に形成することができる。
【００２３】
なお、図示した軒先カバー板は一例であり、本発明はこれに限定されない。例えば、膨出面部を湾曲した面形状としてもよい。
【図面の簡単な説明】
【図１】  第１実施形態の軒先カバー板の斜視図である。
【図２】  図１のカバー板が取り付けられた軒先の断面図である。
【図３】  第２実施形態の軒先カバー板の斜視図（Ａ）と側面図（Ｂ）である。
【図４】  第３実施形態の軒先カバー板の斜視図である。
【図５】  図４のカバー板が取り付けられた軒先の断面図である。
【図６】  第４実施形態の軒先カバー板の斜視図（Ａ）と側面図（Ｂ）である。
【図７】  第５実施形態の軒先カバー板の斜視図（Ａ）と側面図（Ｂ）である。
【図８】 軒先カバー板を軒先に固定する施工工程を示した斜視図である。
【図９】  従来の軒先の断面図である。
【図１０】  図９に示した構成部材の展開図である。
【符号の説明】
１ 軒先カバー板、２ 膨出面部、３ 突出端、４ 折返面部、４ａ  取付面部、４ｂ  凹部、５ 水切り面部、６ スターター部、７ 横板、８ 補強板、９ 入隅カバー、１０ 出隅カバー、１１ 内継手カバー、１２ 屋根材、１７  軒天井
【図８】
0003923748.tif 000002
【図９】
0003923748.tif 000003
【図１０】
0003923748.tif 000004
【図１】
0003923748.tif 000005
【図２】
0003923748.tif 000006
【図３】
0003923748.tif 000007
【図４】
0003923748.tif 000008
【図５】
0003923748.tif 000009
【図６】
0003923748.tif 000010
【図７】
0003923748.tif 000011